(57)【要約】      （修正有）【課題】構造の簡略化を図った前後左右の十字方向の引き出し構造体を提供する。【解決手段】ボックス１０、第１基板２０及び第２基板２１を有する引き出し構造体であって、前記第１基板の前側に断面コ字状の前端縁が形成され、これと対向するように前記第１基板の後側に断面コ字状の後端縁が形成され、その断面コ字状の前端縁と断面コ字状の後端縁に、それぞれ前記ボックスの下部前端縁にある凸状縁部と下部後端縁にある凸状縁部が左右方向にスライド可能に形成されており、前記第２基板の左側端部と前記第２基板の右側端部に前後方向に断面逆Ｌ字状にレール構造部２８が取り付けられ、前記レール構造部はそれぞれ第１基板の左側端部と前記第１基板の右側端部を断面Ｌ字状にして、前後方向にスライド可能に形成されていることを特徴とする。【選択図】図１
2020146390.tif 000002
【特許請求の範囲】
【請求項１】
ボックス、第１基板及び第２基板を有する引き出し構造体であって、
前記第１基板の前側に断面コ字状の前端縁が形成され、これと対向するように前記第１基板の後側に断面コ字状の後端縁が形成され、その断面コ字状の前端縁と断面コ字状の後端縁に、それぞれ前記ボックスの下部前端縁にある凸状縁部と下部後端縁にある凸状縁部が左右方向にスライド可能に形成されており、
前記第２基板の左側端部と前記第２基板の右側端部に前後方向に断面逆Ｌ字状にレール構造部が取り付けられ、前記レール構造部はそれぞれ第１基板の左側端部と前記第１基板の右側端部を断面Ｌ字状にして、前後方向にスライド可能に形成されていることを特徴とする十字方向の引き出し構造体。
【請求項２】
前記第１基板の左端と右端に突起状のストッパーを有しており、左端のストッパーが右端のストッパーと同一線上に形成されていない請求項１記載の十字方向の引き出し構造体。
【請求項３】
前記第２基板の前端と後端に突起状のストッパーを有しており、前端のストッパーが後端のストッパーと同一線上に形成されていない請求項１又は２記載の十字方向の引き出し構造体。
【請求項４】
前記ボックスは、上側部が開口していて、側面を構成する壁面部と、底面を構成する底面部を備えている請求項１乃至３のいずれかに記載の十字方向の引き出し構造体。
【請求項５】
前記第２基板の左側端部の前後端と右側端部の前後端にそれぞれ円筒体を有している請求項１乃至４のいずれかに記載の十字方向の引き出し構造体。
【請求項６】
請求項１乃至５のいずれかに記載の十字方向の引き出し構造体を備える収納具。
【発明の詳細な説明】
【技術分野】
【０００１】
本発明は、直角４方向すなわち前後左右の十字方向において引き出し可能な十字方向の引き出し構造体、及び工場や家庭や事務所等における、同引き出し構造体を用いた物品収納具に関するものである。
【背景技術】
【０００２】
従来、直角２方向に引き出し可能な収納具としては、特許文献１が開示されている。
すなわち、特許文献１には、平面形状が四角形状をなし、直交する２つの側面部材が一体として夫々、引き出し容易な引き手部を有して前板１ａ，１ｂに形成され、該前板１ａ，１ｂの直交交叉部内部にシャフト３が立設されると共に、該前板内部にシャフトの摺動空隙部を存して仕切壁が形成されている。一方、他の２つの側面部材１ｃ，１ｄが直交する平板状部材により形成され、かつ上記両側面部材で囲まれた空間内部に底部材４を有する抽斗部材１１を、前記平板状側面部材１ｃ，１ｄに対応して直交する２つの側枠部材１０で形成された収納空間内に配設された底板１１を介して積層し、前記底板１１上に直交する２方向に形成した溝１２に抽斗部材１１の底部材４下面に設けた突出部５を嵌係合させ、シャフトを軸として直交２方向に引き出し可能とした。
【０００３】
しかし直角２方向への引き出しは、前記底板１１上に直交する２方向に形成した溝１２に抽斗部材１１の底部材４下面に設けた突出部５を嵌係合させ、シャフト３を軸として行うため、どうしても直角２方向に夫々同じ側面部材、底部材を備えたまま引き出さざるを得ないことから、複雑な構造をとらざるを得ず、家庭内あるいは事務所等において必ずしも充分とは云えなかった。
【先行技術文献】
【特許文献】
【０００４】
【特許文献１】特開平１０−２７６８４６号公報
【発明の概要】
【発明が解決しようとする課題】
【０００５】
本発明の目的は、より構造の簡略化を図り、かつ直角４方向すなわち前後左右の十字方向の引き出し構造体を提供する点にあり、またさらなる目的は、同構造体を用いた物品収納具を提供する点にある。
【課題を解決するための手段】
【０００６】
上記目的を達成するため、本発明は、ボックス、第１基板及び第２基板を有する引き出し構造体であって、
前記第１基板の前側に断面コ字状の前端縁が形成され、前記第１基板の後側に断面コ字状の後端縁がそれぞれ形成され、その断面コ字状の前端縁と断面コ字状の後端縁に、それぞれ前記ボックスの下部前端縁にある凸状縁部と下部後端縁にある凸状縁部が左右方向にスライド可能に形成されており、
前記第２基板の左側端部と前記第２基板の右側端部にそれぞれ前後方向に断面逆Ｌ字状にレール構造部が取り付けられ、前記レール構造部はそれぞれ前記第１基板の左側端部と前記第１基板の右側端部を断面Ｌ字状にして前後方向にスライド可能に形成されていることを特徴とする。
【発明の効果】
【０００７】
従って、本発明はボックスを左右方向に動かしたい場合は、そのボックスの下部前端縁にある凸状縁部と下部後端縁にある凸状縁部を第１基板の断面コ字状の前端縁と第１基板の断面コ字状の後端縁に沿って動かしスライドさせればよく、さらにボックスを前後方向に動かしたい場合は、第２基板の断面逆Ｌ字状レール構造部に対して第１基板の左側端部と右側端部の断面Ｌ字状部を前後方向にスライドさせればよい。
【図面の簡単な説明】
【０００８】
【図１】本発明に係る引出し構造体の一実施形態を示す斜視図である。
【図２】同構造体の正面図である。
【図３】同構造体を左方向にスライドさせた状態を示す斜視図である。
【図４】同構造体を後方向にスライドさせた状態を示す斜視図である。
【図５】同構造体を左方向にスライドさせ及び前方向にスライドさせた状態を示す斜視図である。
【図６】同構造体を取り付けた状態を示す収納具の斜視図である。
【図７】同構造体を動かした状態を示す収納具の斜視図である。
【図８】同構造体の底面図である。
【図９】同構造体の背面図である。
【図１０】同構造体の平面図である。
【図１１】同構造体のボックスの裏面図である。
【図１２】同構造体の第１基板の平面図である。
【図１３】同構造体の第１基板の裏面図である。
【図１４】同構造体の第２基板の平面図である。
【図１５】同構造体の第１基板の斜視図である。
【図１６】同構造体の第１基板の要部拡大斜視図である。
【図１７】同構造体の第２基板の斜視図である。
【図１８】同構造体の第２基板の要部拡大斜視図である。
【図１９】同構造体の左側面図である。
【図２０】同構造体の右側面図である。
【発明を実施するための形態】
【０００９】
本発明に係る引き出し構造体は、図1及び図５に示すように、ボックス１０、第１基板２０及び第２基板２１からなる。
図１、図２、図３、図６及び図９において、１０は上側部１１が開口するボックスであり、ボックス１０は側面を構成する壁面部１２と、底面を構成する底面部１３を備えている。２０は第１基板であり、２１は裏面が縦横リブ構造の第２基板である。
【００１０】
同ボックスを左右方向に動かしたい場合には、ボックス１０と第１基板２０のスライド構造を利用する。
図３に示す様に、第１基板２０の前側には断面コ字状の前端縁２２が水平方向に形成されており、これと対向するように第１基板２０の後側には断面コ字状の後端縁２３が水平方向に形成されている。図１９及び図２０において、２４、２５はそれぞれボックス１０の下部前端縁にある凸状縁部と下部後端縁にある凸状縁部であり、この下部前端縁にある凸状縁部２４と下部後端縁にある凸状縁部２５が第１基板２０の断面コ字状の前端縁２２と断面コ字状の後端縁２３に左右方向にスライド可能に形成されている。なお、図１２は、前記第１基板の平面図を表す。
【００１１】
次に、同ボックスを前後方向に動かしたい場合には、第１基板２０と第２基板２１のスライド構造を利用する。
図４において、第２基板２１の左側端部２６と前記第２基板２１の右側端部２７に前後方向に断面逆Ｌ字状にレール構造部２８が取り付けられており、前記レール構造部２８はそれぞれ第１基板２０の左側端部２９と前記第１基板の右側端部３０を断面Ｌ字状にして、前後方向にスライド可能に形成されている。
なお、図１０は、同構造体の平面図を表し、図１４は、前記第２基板の平面図を表す。
【００１２】
図６、図７および図１４において、３１a、３１ｂ、３１ｃ、３１ｄは第２基板２１の左側端部の前後端と右側端部の前後端にそれぞれ設置した円筒体である。
【００１３】
従って、上記の引き出し構造体を設置する場合は、例えば図６に示す様に、円筒体３１a、３１ｂ、３１ｃ、３１ｄにポール３６を挿通させて上段部１０Ａ、中間段部１０Ｂ及び下段部１０Ｃを備える収納具とすればよい。
【００１４】
因って、図７に示す様に、ボックス１０を後側にしたい場合（１０Ａ）、ボックス１０を第２基板２１に対して、両側のレール構造部２８に沿って奥行き方向にスライドさせればよく、またボックス１０を左側に寄せたい場合は（１０Ｂ）、ボックス１０を第１基板２０に対して、すなわちボックス１０の下部前端縁にある凸状縁部２４と下部後端縁にある凸状縁部２５を第１基板２０の断面コ字状の前端縁２２と断面コ字状の後端縁２３に沿って、左右方向にスライドさせればよい。またボックス１０を前側にしたい場合は（１０Ｃ）、ボックス１０を第２基板２１に対して両側のレール構造部２８に沿って手前方向にスライドさせればよい。
【００１５】
上述のような収納具に限定した場合は、ポールがあるために、ボックス１０のスライド方向は前後又は左右に限定される。しかし図５のように、ボックス１０が１段であれば、前後及び左右に同時にスライドさせることができる。
【００１６】
図１１及び図１３に示す様に、この構造体において、ボックス１０及び第１基板２０は、裏面が縦横にリブ構造で裏打ちされているが、ここでリブ構造をしているのは図８の構造体の裏面、すなわち第２基板２１の裏面と同じく、強度を保つためである。
【００１７】
また図１２において、３２、３３は第１基板２０の左端と右端に設けた突起状のストッパーである。なお、左端のストッパー３２は右端のストッパー３３と同一線上に形成されていない。図１５は第１基板２０の斜視図である。図１５において突起状の左端のストッパー３２、及び右端のストッパー３３は中心方向に高く傾斜されており、対向する辺に４〜７個備わっている。これは第１基板２０上のボックスを左右方向にスライドさせたとき、ボックス１０が滑り落ちるのを有効に防止するためにある。図１６は、第１基板２０の突起状の左端のストッパー３２の拡大図である。
【００１８】
一方、ボックス１０の方には、第１基板２０のストッパーがすり抜けるための穴部を有する。具体的には、図１９において、ボックス１０の左端底には、スライドした時に、第１基板２０の突起状の左端のストッパー３２がすり抜けるための穴部３７を有し、図１および図２０において、ボックス１０の右端底には、スライドした時に、第１基板２０の突起状の右端のストッパー３３がすり抜けるための穴部３８を有する。
【００１９】
図１７は同構造体の第２基板２１の斜視図であり、図１４は第２基板２１の平面図であり、図１８は、同構造体の第２基板２１の要部拡大斜視図である。３４、３５は第２基板２１の前端と後端に設けた突起状のストッパーである。なお、前端のストッパー３４は後端のストッパー３５と同一線上に形成されていない。突起状の前端のストッパー３４、及び後端のストッパー３５は中心方向に高く傾斜されており、対向する辺に５〜７個備わっている。前記前端のストッパー３４、及び後端のストッパー３５は、前記第１基板２０の左端のストッパー３２、及び右端のストッパー３３と同じく、第２基板２１上の第１基板２０を前後方向にスライドさせたとき、第１基板２０が滑り落ちるのを有効に防止するためにある。
【００２０】
一方、第１基板２０の方には、第２基板２１のストッパーがすり抜けるための穴部を有する。具体的には、図１及び図２において、第１基板２０の前端底には、スライドした時に、第２基板２１の突起状の前端のストッパー３４がすり抜けるための穴部３９を有し、図９において、第１基板２０の後端底には、スライドした時に、第２基板２１の突起状の後端のストッパー３５がすり抜けるための穴部４０を有する。
【００２１】
以上の通り、同構造体は、第１基板の前側に断面コ字状の前端縁が形成され、前記第１基板の後側に断面コ字状の後端縁がそれぞれ形成され、その断面コ字状の前端縁と断面コ字状の後端縁に、それぞれボックスの下部前端縁にある凸状縁部と下部後端縁にある凸状縁部が左右方向にスライド可能に形成されており、
第２基板の左側端部と前記第２基板の右側端部にそれぞれ前後方向に断面逆Ｌ字状にレール構造部が取り付けられ、前記レール構造部はそれぞれ前記第１基板の左側端部と前記第１基板の右側端部を断面Ｌ字状にして前後方向にスライド可能に形成されていることを特徴とするので、左右方向に動かす場合には、第１基板の断面コ字状の前端縁と第１基板の断面コ字状の後端縁に沿ってボックスの下部前端縁にある凸状縁部と下部後端縁にある凸状縁部がスライドし、前後方向に動かす場合には、第２基板のレール構造部に対して第１基板の左側端部と右側端部の断面Ｌ字状部がスライドしている。
因って、簡易な構造により、十字方向に引き出し可能な構成となっているのである。
【００２２】
ところで本発明は上記構造に限定されるものではない。要するに、第１基板の前側に断面コ字状の前端縁が形成され、前記第１基板の後側に断面コ字状の後端縁がそれぞれ形成され、その断面コ字状の前端縁と断面コ字状の後端縁に、それぞれボックスの下部前端縁にある凸状縁部と下部後端縁にある凸状縁部が左右方向にスライド可能に形成されており、
第２基板の左側端部と前記第２基板の右側端部にそれぞれ前後方向に断面逆Ｌ字状にレール構造部が取り付けられ、前記レール構造部はそれぞれ第１基板の左側端部と前記第１基板の右側端部を断面Ｌ字状にして前後方向にスライド可能に形成されておれば差し支えない。
【００２３】
図６は、上記の十字方向の引き出し構造体を、上段部、中間段部及び下段部に備える収納具の使用例である。使用例では、収納具に備える引き出し構造体の数は上段部、中間段部及び下段部の３段になっているが、引き出し構造体の数は１段でも複数段でもよい。
【産業上の利用可能性】
【００２４】
本発明は、同構造体を有する収納具に広く利用することができる。従って、トレーをはじめとする各種の同構造体に広く使用することができる。
【符号の説明】
【００２５】
１０      ボックス
１０Ａ    引き出し構造体の上段部
１０Ｂ    引き出し構造体の中間段部
１０Ｃ    引き出し構造体の下段部
１１      上側部
１２      壁面部
１３      底面部
２０      第１基板
２１      第２基板
２２      第１基板の断面コ字状の前端縁
２３      第１基板の断面コ字状の後端縁
２４      ボックスの下部前端縁にある凸状縁部
２５      ボックスの下部後端縁にある凸状縁部
２６      第２基板の左側端部
２７      第２基板の右側端部
２８      レール構造部
２９      第１基板の左側端部
３０      第１基板の右側端部
３１ａ    第２基板の左側端部の前端円筒体
３１ｂ    第２基板の左側端部の後端円筒体
３１ｃ    第２基板の右側端部の前端円筒体
３１ｄ    第２基板の右側端部の後端円筒体
３２      第１基板の左端のストッパー
３３      第１基板の右端のストッパー
３４      第２基板の前端のストッパー
３５      第２基板の後端のストッパー
３６      ポール
３７      ボックスの左端底の穴部
３８      ボックスの右端底の穴部
３９      第１基板の前端底の穴部
４０      第１基板の後端底の穴部
【図１】
2020146390.tif 000003
【図２】
2020146390.tif 000004
【図３】
2020146390.tif 000005
【図４】
2020146390.tif 000006
【図５】
2020146390.tif 000007
【図６】
2020146390.tif 000008
【図７】
2020146390.tif 000009
【図８】
2020146390.tif 000010
【図９】
2020146390.tif 000011
【図１０】
2020146390.tif 000012
【図１１】
2020146390.tif 000013
【図１２】
2020146390.tif 000014
【図１３】
2020146390.tif 000015
【図１４】
2020146390.tif 000016
【図１５】
2020146390.tif 000017
【図１６】
2020146390.tif 000018
【図１７】
2020146390.tif 000019
【図１８】
2020146390.tif 000020
【図１９】
2020146390.tif 000021
【図２０】
2020146390.tif 000022